(57)【要約】【課題】利用者が簡単に設置でき、不使用時はコンパクトに収納でき、十分な高さを確保した遮光空間を構築する日よけを提供する。【解決手段】蛇腹状に折り畳まれ、一方の端部が建築物の第１壁面（２）に取り付けられたシェード（１１）と、シェード（１１）の他方の端部に設けられた係止部と、係止部を保持する保持部（１５）を備える日よけ（１）。【選択図】図１
2020070548.tif 000002
【特許請求の範囲】
【請求項１】
蛇腹状に折り曲げられ、一方の端部が建築物の第１壁面に取り付けられたシェードと、
前記シェードの他方の端部に設けられた係止部と、
前記係止部を保持する保持部を備えることを特徴とする日よけ。
【請求項２】
請求項１に記載の日よけであって、
前記係止部は、前記建築物において前記第１壁面とは異なる第２壁面に設けられていることを特徴とする日よけ。
【請求項３】
請求項１または２に記載の日よけであって、
前記第１壁面には、前記シェードを収容するケース部が設けられていることを特徴とする日よけ。
【請求項４】
請求項１から３の何れか一つに記載の日よけであって、
前記他方の端部には、前記シェードの折目と垂直な方向を中心軸とする軸支部が設けられ、
前記軸支部が前記建築物に取り付けられて、前記シェードが前記軸支部を回転中心として水平方向に開閉可能とされていることを特徴とする日よけ。
【請求項５】
請求項１から４の何れか一つに記載の日よけであって、
前記他方の端部には、折目方向に沿って板状のアーム部が取り付けられており、
前記係止部は前記アーム部に形成されていることを特徴とする日よけ。
【発明の詳細な説明】
【技術分野】
【０００１】
本発明は、建築物の窓等の開口部に設けられた日よけに関する。
【背景技術】
【０００２】
従来、住宅の窓等の開口部付近について、開口部への日差しや雨の入射を遮るための日よけが設けられてきた。冬季等、日差しを屋内に取り入れたい時期は日よけが不要となるため、必要に応じて出し入れできる日よけが求められている。したがって、日よけが必要な時は、布製のシェードを張り出す形の日よけが一般的に用いられている。
【０００３】
例えば、特許文献１に示されるように、住宅等の建築物の壁面に固定された日よけは、不使用時はキャンバス布製のシェードが、ローラ等の巻取部によって巻き取られた状態で窓上の壁面に格納されている。そして、一方が壁面（窓枠）に固定され、他方が壁面に対して回動可能なアームを備えている。そして、この回動可能なアームの他方端にはシェードが固定されており、このアームを回動することにより、アームの他方端に固定されたシェードが引き出され、窓の上に日よけを作る構造となっている。
【０００４】
特許文献１に示される日よけの場合、アームが建築物の壁面に固定されており、かつアームの回動によってシェードを引き出す構成となっているため、遮光できる最大領域は、壁面からアームの長さ分だけである。ここで、アームの長さを長くすれば遮光できる領域は広くなるが、次のような問題がある。すなわち、アームの支点は、アームの長さ分だけローラから離れた位置となる。アームが長くなるほど、アームの支点、すなわち建築物の壁面に固定される端部が窓の下方に移動することになるため、日よけを引き出すと、窓の大部分が日よけで隠れることになる。
【０００５】
また、シェードは、巻取部からアームの他方端までを斜めに渡るようになるため、シェードによって覆われる空間は、天井部が斜めとなった空間になる。したがって、仮にアームが長くなったとしても、窓の大部分がシェードで隠れ、シェードが斜めに張り出した状況となるため、窓からの眺望は確保されない。加えて、アームにかかる負荷と、壁面に固定されたアームが耐えられる力との関係によって、アームの長さには限界がある。
【０００６】
一方で、掃き出し窓等から連続してデッキ等を設け、オープンエアスペースにし、このオープンエアスペースも生活空間とする住宅構造も見受けられる。特許文献１に示されるような日よけでは、天井部が斜めとなり、低くなってしまうため、このようなオープンスペースには適さない。
【０００７】
オープンスペースに対する日よけとして、傘部分が大きなパラソル等をオープンスペースの床（もしくは地面）に固定する形態も考えられる。パラソルの傘部分を開くことにより日よけとなるわけであるが、傘で覆われる空間を広くするためには、パラソルをオープンスペースの中央に配置するのが効率的である。しかしながら、中央にパラソルを配置することにより、オープンスペースの空間がパラソルによって分断されることにより、空間用途に制限が生じることになる。また、利用者が手動で傘部分を開閉することになるため、傘の大きさは、利用者が開閉できる範囲に制限される。結果、遮光できる面積にも限界がある。また、床部分にパラソルを固定した場合、不使用時も床部分からパラソルが突き出た状態となり、空間利用の妨げとなる。
【０００８】
掃き出し窓等から続くデッキ等、生活空間として使用されるオープンエアスペース等は、ある程度の広さを必要としており、ある程度の広さ及び高さを有する空間全体を覆うことができる日よけが求められている。一方で、日よけを使用しない時は、日よけを構成する物の一部が、オープンエアスペースの空間利用の障害となるような状況は避けることが望ましい。また、利用者が手動で設置する上で、できるだけ少ない力で簡単に設置できることが望ましい。
【０００９】
このような従来の日よけの問題から、広い空間を十分な高さを確保して覆うことができ、不使用時はコンパクトに格納でき、少ない力で簡単に設置できる日よけが求められている。
【先行技術文献】
【特許文献】
【００１０】
【特許文献１】特開２０１２−０７２５８１号公報
【発明の概要】
【発明が解決しようとする課題】
【００１１】
そこで本発明は、上記従来の問題点に鑑みなされたものであり、利用者が簡単に設置でき、不使用時はコンパクトに収納でき、十分な高さを確保した遮光空間を構築する日よけを提供することを目的とする。
【課題を解決するための手段】
【００１２】
上記課題を解決するために、本発明の日よけは、蛇腹状に折り畳まれ、一方の端部が建築物の第１壁面に取り付けられたシェードと、前記シェードの他方の端部に設けられた係止部と、前記係止部を保持する保持部を備えることを特徴とする。
【００１３】
これにより、蛇腹状に折り畳まれたシェードを開いて、保持部に係止部を保持させるだけで利用者が簡単に設置でき、不使用時はコンパクトに収納でき、十分な高さを確保した遮光空間を構築することができる。
【００１４】
また、本発明の一態様では、前記係止部は、前記建築物において前記第１壁面とは異なる第２壁面に設けられている。
【００１５】
また、本発明の一態様では、前記第１壁面には、前記シェードを収容するケース部が設けられている。
【００１６】
また、本発明の一態様では、前記他方の端部には、前記シェードの折目と垂直な方向を中心軸とする軸支部が設けられ、前記軸支部が前記建築物に取り付けられて、前記シェードが前記軸支部を回転中心として水平方向に開閉可能とされている。
【００１７】
また、本発明の一態様では、前記他方の端部には、折目方向に沿って板状のアーム部が取り付けられており、前記係止部は前記アーム部に形成されている。
【発明の効果】
【００１８】
本発明では、利用者が簡単に設置でき、不使用時はコンパクトに収納でき、十分な高さを確保した遮光空間を構築する日よけを提供することができる。
【図面の簡単な説明】
【００１９】
【図１】第１実施形態における日よけ１を示す斜視図であり、日よけ１のシェード１１を全開に開いた状態を示す。
【図２】第１実施形態における日よけ１を示す斜視図であり、日よけ１のシェード１１を閉じた状態を示す。
【図３】アーム部１２をケース部１３内に収容し、可動蓋部１４を開いた状態での係止部１２ａ側を示す部分拡大斜視図である。
【図４】アーム部１２をケース部１３内に収容し、可動蓋部１４を開いた状態での軸支部１６側を示す部分拡大斜視図である。
【図５】第１実施形態における日よけ１を示す斜視図であり、日よけ１のシェード１１を中間位置まで開いた状態を示す。
【図６】第２実施形態におけるシェード１１の構造を示す模式断面図であり、図６（ａ）は単層構造を示し、図６（ｂ）は積層構造を示している。
【図７】第３実施形態における日よけ１を示す斜視図であり、日よけ１のシェード１１を全開に開いた状態を示す。
【発明を実施するための形態】
【００２０】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における日よけ１を示す斜視図であり、日よけ１のシェード１１を全開に開いた状態を示す。図２は、本実施形態における日よけ１を示す斜視図であり、日よけ１のシェード１１を閉じた状態を示す。
【００２１】
本実施形態の日よけ１は、壁面２と、壁面３と、デッキ４と、窓部５を備える住宅等の建築物に設けられている。しかしながら、本発明の日よけ１は、窓部５のような開口部に近接した配置に限らず、壁面に固定できる環境であれば、適用可能である。また日よけ１は、シェード１１と、アーム部１２と、ケース部１３と、可動蓋部１４とを備え、壁面３には保持部１５が設けられている。
【００２２】
壁面２は、住宅等の建築物における庭に面した外壁であり、庭のデッキ４に面して開口部である窓部５が設けられている。また、窓部５の上方にはケース部１３が固定されている。壁面２の構造は限定されず、通常の住宅に用いられるサイディング材やモルタル、コンクリート材などのいずれであってもよい。
【００２３】
壁面３は、住宅等の建築物における庭に面した外壁であり、庭のデッキ４に面して壁面２に対して直角に交わって入り隅を構成している。また壁面３には、所定の高さに保持部１５が設けられている。壁面２の構造は限定されず、通常の住宅に用いられるサイディング材やモルタル、コンクリート材などのいずれであってもよく、壁面２と同様のものを用いることが好ましい。図１では、壁面２と壁面３が互いに直角に交わる例を示したが、鋭角に交わっていても鈍角に交わっていてもよい。
【００２４】
デッキ４は、壁面２と壁面３の入隅に設けられた略平坦な床面であり、窓部５の下端と略同一高さに形成されており、窓部５を介して居室とデッキ４で一連の床面を構成している。デッキ４の構造や材質は特に限定されず、従来公知のウッドデッキやタイルデッキ、アルミデッキ等を用いることができる。図１では庭にデッキ４を設けた例を示したが、デッキ４を設けず庭の地表面を露出させるとしてもよい。
【００２５】
窓部５は、壁面２に設けられた建築物における庭に面した開口部であり、通常の住宅用窓に用いられるサッシやガラスを用いて空間が仕切られている。また図１に示した例では、窓部５は、用居室の内部空間と庭の外部空間との間で往来が可能な高さと幅で設けられて掃出し窓としているが、開口部の大きさは限定されない。窓部５の上方ではケース部１３が壁面２に取り付けられている。
【００２６】
シェード１１は、下方に遮光空間を構成するための部材であり、山折り線１１ａと谷折り線１１ｂで交互に折り畳まれた蛇腹状の薄板状のシートである。シェード１１の一方の端部はケース部１３内に固定されており、ケース部１３を介して壁面２に取り付けられている。シェード１１の他方の端部にはアーム部１２が取り付けられており、アーム部１２の動作に追従してシェード１１は開閉可能とされている。シェード１１は、可視光を遮ることができる色と厚さを有していることが好ましいが、可視光の一部を遮って一部を透過するものや、光を散乱させて下方に直接照射される光の強度を弱めることで、下方に遮光空間を構成することができればよい。
【００２７】
またシェード１１は、複数の断片を山折り線１１ａと谷折り線１１ｂで貼り合わせた構造としてもよく、一枚の長い矩形状シートを山折り線１１ａと谷折り線１１ｂで交互に折り曲げる構造としてもよい。特に、シェード１１として一枚のシートを折り曲げた構造を用いると、軽量化と機械的強度の向上、劣化の抑制を図ることができるため好ましい。
【００２８】
図１に示した例では、シェード１１を支えるための骨組みや吊ワイヤー等を用いておらず、シェード１１の両端だけで支えられている。これにより、日よけ１の構造を簡略化し、軽量化や意匠性の向上を図ることができる。ここでは骨組みや吊ワイヤー等を用いない例を示したが、シェード１１を構成する材料やサイズ、重量等によっては、必要に応じて骨組みや吊ワイヤー等を用いるとしてもよい。
【００２９】
シェード１１を構成する材料としては、軽量で機械的強度に優れたものであれば限定されないが、布や樹脂材料が好ましく、例えばポリカーボネート、ポリプロピレン、ポリエチレン、エポキシ、シリコーン等を用いることができる。特に、軽量で機械的強度と耐候性に優れたポリカーボネートを用いることが好ましく、骨組みや吊ワイヤー等でシェード１１を支える必要がなくなり、構造の簡便化や軽量化、意匠性の向上を図ることができる。
【００３０】
アーム部１２は、平板で厚板状の部材であり、折目方向に沿ってシェード１１の他方の端部に取り付けられている。また後述するように、アーム部１２は長手方向における一端が壁面２と壁面３の交差位置近傍で軸支されており、当該軸を中心として水平方向に可能に保持されている。アーム部１２を構成する材料としては、機械的強度を有しながらも軽量な樹脂を用いることが好ましく、例えばポリカーボネート等を用いることができる。図１に示した例では、アーム部１２を平板状の部材としているが、シェード１１を保持する強度を有していれば形状は限定されず、例えば棒状の部材であってもよい。
【００３１】
ケース部１３は、壁面２において窓部５の上方に設けられた箱状または枠状の部材である。ケース部１３は、折り畳んだシェード１１を内部に収容可能な外形をしており、シェード１１の一方の端部が内部で固定されている。ケース部１３を構成する材料としては、機械的強度と耐候性を有するものが好ましく、例えばアルミニウム板や塗装鋼板などを用いることが好ましい。
【００３２】
可動蓋部１４は、ケース部１３の上方で回動可能に設けられた箱状の部材である。図２に示すように、可動蓋部１４を閉じた状態では、シェード１１とアーム部１２は可動蓋部１４で覆われて隠蔽される。可動蓋部１４を構成する材料としては、機械的強度と耐候性を有するものが好ましく、例えばアルミニウム板や塗装鋼板などを用いることが好ましい。また、可動蓋部１４とケース部１３は同じ材料を用いて同じ仕上げを施すことが好ましい。
【００３３】
保持部１５は、壁面３に設けられた突起であり、図３に示すようにアーム部１２に設けられた係止部１２ａと対応する位置と形状で設けられている。保持部１５は単純な突起であってもよいが、無操作時に係止部１２ａが外れることを防ぐために公知のラッチ機構を用いるとしてもよい。
【００３４】
図１に示したように、アーム部１２を９０度回転させると、アーム部１２は壁面３に沿って水平に保持されシェード１１が全開となる。図３を用いて後述するように、アーム部１２には略円形の係止部１２ａが開口されており、壁面３に設けられた保持部１５が係止部１２ａに挿入されて、保持部１５により係止部１２ａが保持され、アーム部１２が支えられる。
【００３５】
図２に示したように、シェード１１とアーム部１２をケース部１３内に収容し可動蓋部１４を閉じると、シェード１１とアーム部１２は外部から隠蔽される。これにより、日よけ１を使用しない場合での建築物の美観を損ねず、簡便な操作でシェード１１とアーム部１２を保管することができる。また、可動蓋部１４は折り畳まれたシェード１１とケース部１３の上方を覆うので、雨水や日光が内部に進入することを防止し、保管状態でのシェード１１の劣化を抑制することができる。
【００３６】
図３は、アーム部１２をケース部１３内に収容し、可動蓋部１４を開いた状態での係止部１２ａ側を示す部分拡大斜視図である。図４は、アーム部１２をケース部１３内に収容し、可動蓋部１４を開いた状態での軸支部１６側を示す部分拡大斜視図である。
【００３７】
図３に示したように、アーム部１２を０度位置にすると、アーム部１２は壁面２に設けられたケース部１３内に収容される。このとき、シェード１１は折り畳まれてアーム部１２とケース部１３に挟み込まれ、アーム部１２とともにケース部１３と可動蓋部１４内に収容される。アーム部１２の外側先端近傍には略円形の開口部である係止部１２ａが形成されている。可動蓋部１４は、長手方向の両端において回転軸１４ａによって回転可能に軸支されている。例えば回転軸１４ａは、可動蓋部１４の側面に形成された円形の開口部に、ケース部１３の側面に形成された円形の突起を挿入する構造などである。
【００３８】
図３に示した例では、アーム部１２を略平板状とし、シェード１１を折り畳んだ幅と略同程度の幅としている。これにより、アーム部１２をケース部１３内に収容した状態では、シェード１１はアーム部１２によって隠蔽されて正面からは見えない。また、シェード１１はケース部１３によっても隠蔽されるため側方からや下方からも見えない。
【００３９】
図４に示したように、アーム部１２の内側先端には軸支部１６が設けられており、アーム部１２は軸支部１６によってシェード１１の折目と垂直な方向を中心軸として回転可能に壁面３に取り付けられている。軸支部１６は例えば蝶番であり、一片がアーム部１２の内側先端に固定され、他片が壁面３に固定されている。図４では軸支部１６を壁面３に取り付けた例を示したが、壁面２に対してアーム部１２を回転可能に保持することができれば軸支部１６の取り付け位置は限定されず、建築物の一部に取り付けることが好ましい。
【００４０】
図５は、本実施形態における日よけ１を示す斜視図であり、日よけ１のシェード１１を中間位置まで開いた状態を示す。日よけ１の利用者は、図２に示した可動蓋部１４を閉じた保管状態から、図３に示したように可動蓋部１４を開き、軸支部１６を回転中心としてアーム部１２を水平方向に回転させる。図５に示したように、アーム部１２はシェード１１の他端に取り付けられているため、シェード１１はアーム部１２の回転に追従して扇状に開かれる。アーム部１２を９０度回転させると、図１に示したようにシェード１１が全開状態となり、係止部１２ａに保持部１５が挿入されて、シェード１１が扇状に開いた状態で保持される。
【００４１】
図１から図５に示したように、アーム部１２の回転動作だけでシェード１１の開閉を行い、係止部１２ａと保持部１５でアーム部１２を保持することでシェード１１の全開状態を維持できる。また、シェード１１は窓部５の上方に取り付けられており、シェード１１の下方に十分な遮光空間を確保することができる。また、アーム部１２を０度位置に回転するだけでシェード１１を折り畳んでコンパクトに収納することができる。これにより本実施形態の日よけ１は、利用者が簡単に設置でき、不使用時はコンパクトに収納でき、十分な高さを確保した遮光空間を構築することができる。
【００４２】
（第２実施形態）
次に本発明の第２実施形態について図６を用いて説明する。第１実施形態と重複する内容は説明を省略する。図６は、本実施形態におけるシェード１１の構造を示す模式断面図であり、図６（ａ）は単層構造を示し、図６（ｂ）は積層構造を示している。
【００４３】
図６（ａ）に示した例では、シェード１１を樹脂層２０の単層で形成する。また、樹脂層２０には、着色樹脂を用いて色彩をもたせるとしてよい。また、樹脂層２０中に着色した微粒子を混入して、光を散乱する機能や紫外光など所定の波長を吸収する機能をもたせるとしてもよい。さらに、多色成形技術を用いて樹脂層２０を多色で形成し、シェード１１にパターンや模様を描くとしてもよい。また、樹脂層２０の表面または裏面に塗装や印刷でパターンや模様を描くとしてもよい。
【００４４】
図６（ｂ）に示した例では、中間層２１の表裏面を樹脂層２０で覆った積層構造でシェード１１を構成する。中間層２１は、布や紙等のシート状部材であり、光の一部を遮ってシェード１１の下方に遮光空間を構成するためのものである。中間層２１には、印刷や染色等によってパターンや模様を描くとしてもよい。中間層２１を覆う樹脂層２０としては、耐候性に優れたポリカーボネートを用いることが好ましい。図６（ｂ）では中間層２１の表裏面を樹脂層２０で覆った構造を示したが、一方の面だけ樹脂層２０で覆い、樹脂層２０側をシェード１１の上面に用いるとしてもよい。
【００４５】
本実施形態では、シェード１１にパターンや模様を描くことや、各種機能をもたせることができ、様々な態様の遮光空間を容易に実現することができる。
【００４６】
（第３実施形態）
次に本発明の第３実施形態について図７を用いて説明する。第１実施形態と重複する内容は説明を省略する。図７は、本実施形態における日よけ１を示す斜視図であり、日よけ１のシェード１１を全開に開いた状態を示す。
【００４７】
図７に示したように、本実施形態では、窓部５が設けられた壁面２が延長されており、アーム部１２は１８０度回転可能とされて、シェード１１を全開にした状態ではアーム部１２は壁面２に沿って水平に保持されている。本実施形態では、シェード１１が半円状に展開されるので、さらに広い範囲に遮光空間を構築することができる。
【００４８】
（第４実施形態）
次に本発明の第４実施形態について説明する。第１実施形態と重複する内容は説明を省略する。第１実施形態では、アーム部１２の他に可動蓋部１４を設け、シェード１１とアーム部１２をケース部１３内に収容した後に可動蓋部１４を閉じる例を示した。
【００４９】
本実施形態では、アーム部１２に可動蓋部１４の機能を付加し、可動蓋部１４を省略する。アーム部１２の外形を可動蓋部１４と同様の箱状とすることで、アーム部１２を０度位置にまで閉じた状態では、アーム部１２がケース部１３の上面、側面、下面を覆い、折り畳まれたシェード１１と共にケース部１３を隠蔽する。
【００５０】
本実施形態でも、日よけ１を使用しない場合での建築物の美観を損ねず、簡便な操作でシェード１１を保管することができる。また、アーム部１２は折り畳まれたシェード１１とケース部１３の上方を覆うので、雨水や日光が内部に進入することを防止し、保管状態でのシェード１１の劣化を抑制することができる。
【００５１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５２】
１…日よけ
２，３…壁面
４…デッキ
５…窓部
１１…シェード
１１ａ…山折り線
１１ｂ…谷折り線
１２…アーム部
１２ａ…係止部
１３…ケース部
１４…可動蓋部
１４ａ…回転軸
１５…保持部
１６…軸支部
２０…樹脂層
２１…中間層
【図１】
2020070548.tif 000003
【図２】
2020070548.tif 000004
【図３】
2020070548.tif 000005
【図４】
2020070548.tif 000006
【図５】
2020070548.tif 000007
【図６】
2020070548.tif 000008
【図７】
2020070548.tif 000009